(57)【要約】      （修正有）【課題】船縁に固定された状態で、竿受部に竿を支持させたまま竿の向きを容易に変えられ、船縁の形状や角度に合わせて船縁に確実に固定できる釣竿の保持装置を提供する。【解決手段】船縁１に着脱可能に固着されるクランプ部１０と、クランプ部１０の上面に設けられた旋回軸１７に対し環着支持される旋回台３０と、旋回台３０から前方に延びて竿を受ける竿受け部４０と、旋回台３０の上面に装着支持され竿Ａを保持するホルダー５０とから構成し、旋回台３０には旋回軸１７に対する係合孔を下面に設けるとともに、外部からの操作により固定部材を係合孔に対し進退させるネジ孔を側面に設け、旋回軸１７の側面にはロック部材の先端面と係合してクランプ部１０に対し旋回台３０を所望の旋回角度にロックするための複数の係合面を周方向に設ける。【選択図】図１
0003152623.tif 000002
【実用新案登録請求の範囲】
【請求項１】
船縁に着脱可能に固着されるクランプ部と、このクランプ部の上面に設けられた旋回軸に対し環着支持される旋回台と、この旋回台から前方に延びて竿を受ける竿受け部と、旋回台の上面に装着支持され竿を保持するホルダーとから構成され、前記旋回台には前記旋回軸に対する係合孔が下面に設けられるとともに、外部からの操作によりロック部材を前記係合孔に対し進退させる横孔が側面に設けられ、前記旋回軸の側面には前記ロック部材の先端面と係合して前記クランプ部に対し前記旋回台を所望の旋回角度に固定するための複数の係合面が周方向に設けられていることを特徴とする釣竿の保持装置。
【請求項２】
前記クランプ部が、船縁の上面に当接されるクランプ本体と、クランプ本体と協働してクランプ部を船縁に固着させるための補助部材とを備え、クランプ本体と補助部材との間の長さを調節する長さ調整手段が設けられていることを特徴とする請求項１記載の釣竿の保持装置。
【請求項３】
前記長さ調整手段は、長さ調節ボルトの一端が連結部材を介してクランプ本体に対し回動可能に連結され、同長さ調節ボルトの他端が補助部材に設けられたボルト孔に挿通されてナットにより補助部材とクランプ本体との間の長さが調節可能とされていることを特徴とする請求項２記載の釣竿の保持装置。
【請求項４】
前記クランプ部が、船縁の上面に当接されるクランプ本体と、クランプ本体と協働してクランプ部を船縁に固着させるための補助部材とを備え、クランプ本体に対する補助部材のクランプ角度を調整する角度調整手段を備えることを特徴とする請求項１ないし請求項３のいずれか一項に記載の釣竿の保持装置。
【請求項５】
前記クランプ部が、船縁の上面に当接されるクランプ本体と、クランプ本体と協働してクランプ部を船縁に固着させるための補助部材とを備え、長さ調節ボルトの一端が連結部材を介してクランプ本体に対し回動可能に連結され、同長さ調節ボルトの他端が補助部材に設けられたボルト孔に挿通されてナットにより補助部材とクランプ本体との間の長さが調節可能とされ、さらに、クランプ本体に対する連結部材の回動角度を規制する角度規制手段を備えていることを特徴とする請求項１ないし請求項３のいずれか一項に記載の釣竿の保持装置。
【請求項６】
外部からの操作により角度調整ボルトを連結部材に対し進退可能に支持する反力支持部材がクランプ本体に設けられ、角度調整ボルトの進出量により連結部材のクランプ本体に対する回動角度が規制されることを特徴とする請求項５記載の釣竿の保持装置。
【請求項７】
前記クランプ部に対し釣り用具を船外に保持するハンガーが装着可能とされていることを特徴とする請求項１ないし請求項６のいずれか一項に記載の釣竿の保持装置。
【請求項８】
前記ハンガーは撒き餌用のバケツを船外に保持可能であることを特徴とする請求項７記載の釣竿の保持装置。
【考案の詳細な説明】
【技術分野】
【０００１】
本考案は、船縁に固定して使用され、船縁に釣竿を保持しておくための釣竿の保持装置に関するものである。
【背景技術】
【０００２】
従来、船釣り用の釣竿を船縁に保持しておく保持装置が種々提案されている。例えば、実開平６−８１２７７号公報には、船縁に固着されるクランプと、先端に双股状の竿受が設けられた竿受部と協同して、釣竿を保持する釣竿固定装置が開示されている。かかる釣竿固定装置によれば、船縁にクランプを固着し、竿受けに竿を受けさせ、竿を固定装置の係止筒内に挟持固定し、釣竿を水平・垂直・斜めいずれの方向にも自在に回動させて操作できるとされている。そして、釣竿を取り外すには、係止筒付近のトリガーを指で引き、釣竿を簡単に取り外すことができるとされている。
【先行技術文献】
【特許文献】
【０００３】
【特許文献１】実開平６−８１２７７号公報
【考案の概要】
【考案が解決しようとする課題】
【０００４】
しかしながら、上記した従来の釣竿固定装置によると、竿受け部は上下方向に回動できるのみであり、竿受け部と一緒に竿を左右方向に回動させることはできなかった。このため、釣りの状況に応じて、竿の向きを左右に変えたいときは、竿を一旦外してクランプをゆるくしてクランプの向きを変え、船縁に再び固定するという面倒な作業が発生し、次の操作に直ぐに備えることができなかった。しかも、クランプの向きを船縁に対し斜めに変えることによってクランプが船縁から外れるおそれもあった。一方、クランプをそのままにして竿の向きを左右方向に変える場合は、竿受け部から竿を離して対応せざるを得ず、この場合、常時竿を手で保持しなければならず、釣り人に負担を強いることになる。
【０００５】
また、上記の釣竿固定装置では、船縁の形状によってはクランプ部をきちんと固着できない場合があった。
【０００６】
本考案は上記課題に鑑みてなされたもので、本装置を船縁に固定した状態で、竿受け部に受けさせた竿をその姿勢のまま容易に左右に向きを変えられ、よって使い勝手の向上した竿の保持装置を提供することを目的とする。また、船縁の形状や角度に合わせて本装置を確実に取付固定できる釣竿の保持装置を提供することを目的とする。
【課題を解決するための手段】
【０００７】
上記課題を解決するために、本考案に係る釣竿の保持装置は、
船縁に着脱可能に固着されるクランプ部と、このクランプ部の上面に設けられた旋回軸に対し環着支持される旋回台と、この旋回台から前方に延びて竿を受ける竿受け部と、旋回台の上面に装着支持され竿を保持するホルダーとから構成され、前記旋回台には前記旋回軸に対する係合孔が下面に設けられるとともに、外部からの操作によりロック部材を前記係合孔に対し進退させる横孔が側面に設けられ、前記旋回軸の側面には前記ロック部材の先端面と係合して前記クランプ部に対し前記旋回台を所望の旋回角度に固定するための複数の係合面が周方向に設けられていることを第１の特徴とする。
【０００８】
本考案に係る釣竿の保持装置によると、船縁にクランプ部を固着し、竿受け部に竿を受けさせるとともに、竿をホルダーに保持した姿勢で、釣竿を船縁に保持させておくことができる。かかる姿勢で魚が糸を引くのを待つわけであるが、船縁にクランプ部を固着したまま、竿の向きを竿受け部とともに左右方向に変える場合には、外部からの操作によりロック部材をゆるめて係合孔から後退させ、旋回台をクランプ部に対し所望の向きに旋回させる。再び外部からの操作によりロック部材を係合孔に対し前進させ、ロック部材の先端面を旋回軸の側面の相対する平面部に対し面接触させる。これにより、旋回台はロック部材により旋回不可にロックされ、竿の向きを竿受け部とともに所望の向きに固定することができる。
【０００９】
本考案に係る釣竿の保持装置は、前記クランプ部が、船縁の上面に当接されるクランプ本体と、クランプ本体と協働してクランプ部を船縁に固着させるための補助部材とを備え、クランプ本体と補助部材との間の長さを調節する長さ調整手段が設けられていることを第２の特徴とする。
【００１０】
前記長さ調整手段は、長さ調節ボルトの一端が連結部材を介してクランプ本体に対し回動可能に連結され、同長さ調節ボルトの他端が補助部材に設けられたボルト孔に挿通されてナットにより補助部材とクランプ本体との間の長さが調節可能とされていることを第３の特徴とする。
【００１１】
本考案に係る釣竿の保持装置は、前記クランプ部が、船縁の上面に当接されるクランプ本体と、クランプ本体と協働してクランプ部を船縁に固着させるための補助部材とを備え、クランプ本体に対する補助部材のクランプ角度を調整する角度調整手段を備えること第４の特徴とする。
【００１２】
本考案に係る釣竿の保持装置は、前記クランプ部が、船縁の上面に当接されるクランプ本体と、クランプ本体と協働してクランプ部を船縁に固着させるための補助部材とを備え、長さ調節ボルトの一端が連結部材を介してクランプ本体に対し回動可能に連結され、同長さ調節ボルトの他端が補助部材に設けられたボルト孔に挿通されてナットにより補助部材とクランプ本体との間の長さが調節可能とされ、さらに、クランプ本体に対する連結部材の回動角度を規制する角度規制手段を備えていることを第５の特徴とする。
【００１３】
本考案に係る釣竿の保持装置は、外部からの操作により角度調整ボルトを連結部材に対し進退可能に支持する反力支持部材がクランプ本体に設けられ、角度調整ボルトの進出量により連結部材のクランプ本体に対する回動角度が規制されることを第６の特徴とする。
【００１４】
本考案に係る釣竿の保持装置は、前記クランプ部に対し釣り用具を船外に保持するハンガーが装着可能とされていることを第７の特徴とする。
【００１５】
本考案に係る釣竿の保持装置は、前記ハンガーが撒き餌用のバケツを船外に保持可能であることを第８の特徴とする。
【考案の効果】
【００１６】
以上説明したように、本考案に係る釣竿の保持装置によれば、本装置によって船縁に保持させた釣竿の向きを、釣りの状況に応じて左右方向に変えたいとき、船縁に固着したクランプ部や竿のホルダーを外すことなく、旋回台を左右に旋回させるだけで、竿受け部に竿を受けさせたままの姿勢で、素早くかつ容易に竿の向きを変え、次の操作に備えることができる。しかも、クランプ部に対する旋回台のロックの解除およびロックの各動作を素早く行うことができ、本装置によれば、従来の装置に比べ、操作性や使い勝手が格段に優れるという優れた効果を奏する。しかも、安価な製作コストで実現することができる。
【００１７】
また、本考案に係る釣竿の保持装置によると、クランプ本体と補助部材との間の長さを調節する長さ調節手段やクランプ本体に対する補助部材のクランプ角度を調整する角度調整手段を備えることにより、船縁の様々な形状に対応させてこれらの船縁に対し本装置を確実に取り付けることができ、この点でも本装置は大変使い勝手が優れるという効果を奏する。
【００１８】
さらに、本考案に係る釣竿の保持装置によると、前記クランプ部に対し撒き餌用のバケツ等を船外で保持するハンガーを装着可能とすることで、便利で、使い勝手のよい保持装置が得られる。
【図面の簡単な説明】
【００１９】
【図１】本考案の第１実施形態を示すもので、本考案に係る釣竿の保持装置の斜視図、
【図２】図１に示す保持装置の船縁への取付状態を示す側面図、
【図３】クランプ本体を示す斜視図、
【図４】クランプ部の全体を示す斜視図、
【図５】クランプ部の旋回軸の係合部と旋回台側のロック部材の関係を示す説明図、
【図６】クランプ本体に対する連結部材の回動角度を規制する機構を示す説明図、
【図７】（Ａ）はクランプ部の旋回軸に対し旋回台側のロック部材のロックを解除する様子、（Ｂ）は所定角度旋回し、再びロックする様子を示す説明図、
【図８】本考案の第２実施形態を示すもので、クランプ部に対しハンガーを取り付ける様子を示す平面図、
【図９】ハンガーの全体斜視図である。
【考案を実施するための最良の形態】
【００２０】
以下、本考案を実施するための最良の形態について図面を参照して説明する。図１ないし図７は、本考案の第１実施形態を示すもので、これらの図において、符号Ｓは釣竿の保持装置、符号１は船縁を示している。
【００２１】
釣竿の保持装置Ｓ（以下、保持装置Ｓという）は、図１に示すように、クランプ部１０と、旋回台３０と、竿受け部４０と、ホルダー５０とから構成されている。
【００２２】
クランプ部１０は、船縁１に対し着脱可能に固着されるもので、図１および図２に示すように、船縁１の上面２に当接されるＬ字形のクランプ本体１１と、クランプ本体１１と協働してクランプ部１０を船縁１に対し固着させる補助部材１２とを備えている。クランプ本体１１は、船縁１の上面２に当接される水平板部１３と、船縁１の内側面３に当接される垂直板部１４とから構成され、水平板部１３から垂直板部１４にかけて左右両側面にはＬ字形に側板部１５，１５が取り付けられている。水平板部１３には、図３に示すように、複数のネジ孔１６が設けられ、取付ネジ１６Ａによって水平板部１３の上面に旋回軸１７が取付固定されている。
【００２３】
旋回軸１７は、図４に示すように、根元側の大径部１７Ａと上端側の小径部１７Ｂとからなり、小径部１７Ｂの側面には、後述するロック部材３４（図５参照）の先端面３４Ａと係合して、クランプ部１０に対し旋回台３０を所望の旋回角度に固定する係合部１８が設けられている。この係合部１８は、周方向に連続する複数（図示例では３つ）の係合面１８Ａ〜１８Ｃから形成されている。左右の係合面１８Ａ，１８Ｃは、中央の係合面１８Ｂに対し、それぞれ４５度傾いており、その結果、クランプ部１０が船縁１に対し平面視して直角に固着された状態において、旋回台３０を右４５度、左４５度に旋回させその旋回角度を固定できるようになっている。
【００２４】
クランプ本体１１の水平板部１３の前端には、図２および図４に示すように、連結部材１９を介して２本の長さ調節ボルト２０，２０の各基端が回動軸１９Ａ回りに回動可能に連結されている。連結部材１９の回動軸１９Ａは水平板部１４の左右側板部１５，１５の前端に回動自在に支持されている。２本の長さ調節ボルト２０，２０は、船縁１の内側面３と外側面４との間のクランプ幅に合わせて、クランプ本体１１の垂直板部１４と補助部材１２の後述するクランプ片２７との間の長さ（間隔）を調節するもので、同長さ調節ボルト２０，２０の自由端が補助部材１２の基端部１２Ａに設けられたボルト孔２１，２１に挿通され、その先端にナット２２が螺合されて補助部材１２が抜け止めされている。各長さ調節ボルト２０にはネジ２３が切られ、ナット２２を前進・後退させることによりクランプ本体１１の垂直板部１４と補助部材１２のクランプ片２７との間の長さを調節することができる。
【００２５】
クランプ本体１１の水平板部１３には、クランプ本体１１に対する連結部材１９の回動角度を規制するための反力支持部材２４が左右の側板部１５，１５間に設けられている。この反力支持部材２４には２つのネジ孔２５，２５（図６参照）が設けられ、各ネジ孔２５には角度調整ボルト２６が螺合されて、連結部材１９の背面に対し進退可能に支持されている。２本の角度調整ボルト２６の進出量を調整することにより、クランプ本体１１の水平板部１３に対する連結部材１９の、回動軸１９Ａ回りの回動角度を規制し、これによりクランプ本体１１に対する補助部材１２のクランプ片２７のクランプ角度を調整し、クランプ姿勢を固定することができる。
【００２６】
なお、垂直板部１４には、図３に示すように、旋回軸１７を取り付ける複数のネジ孔１６が設けられている。これは、船縁１の形状によっては上下面がある場合があり、その場合、垂直板部１４を船縁１の上面に当接し、補助部材１２のクランプ片２７を船縁１の下面に当接した姿勢で、クランプ部１０を船縁１に固着させるときに対応できるようにしたものである。
【００２７】
旋回台３０は、クランプ部１０の旋回軸１７に対し環着支持されるもので、旋回台３０の下面には、図５に示すように、前記旋回軸１７に対する係合孔３１が設けられている。旋回台３０の側面には係合孔３１に貫通するネジ孔（ロック孔）３２が設けられ、このネジ孔３２には後端に操作部３３を備えるロック部材３４が螺合されている。そして、操作部３３を回してロック部材３４を前進させてその先端面３４Ａと旋回軸１７の係合面１８Ａ〜１８Ｃのいずれか一と係合させることにより、クランプ部１０に対し旋回台３０を所望の旋回角度に固定することができる。
【００２８】
竿受け部４０は、旋回台３０から前方に延びて竿Ａを下から受けるもので、旋回台３０の上面前部の凸部３５に対し凹形の軸受部４１が回動軸４１Ａ回りに所定の範囲で回動可能に支持されており、軸受部４１の前面からは２本のフォーク４２，４２が途中から所定の角度で上向きに延びてそれらフォーク４２，４２の先端には竿Ａを下から支持する凹形の竿受け４３が設けられている。軸受部４１の上面には下面に達するボルト孔４４が設けられ、ボルト孔４４には竿受け４３の高さ、すなわち軸受部４１の回動軸４１Ａ回りの傾斜角度を調整する角度調整ボルト４５が螺合されている。角度調整ボルト４５はその先端を旋回台３０の上面前部の反力支持面３６に当接支持させることにより、軸受部４１の傾斜角度を固定することができる。
【００２９】
ホルダー５０は、竿受け部４０とともに竿Ａを保持するもので、旋回台３０の上面後部の支持軸３７に対し円筒形のホルダー本体５１が装着支持されている。ホルダー本体５１の側面には、図示しないスプリングの付勢力により支持軸３７の係合部３７Ａに対し常時係合する着脱レバー５２が設けられている。この着脱レバー５２の後端を引き上げ操作することにより、係合部３７Ａとの係合が解除され、支持軸３７からホルダー本体５１を抜き出しすることができる。
【００３０】
ホルダー本体５１の上面には上側挟持部材５３とともに竿Ａを上下方向から挟持して保持する挟持部５４が設けられ、左右のボルト部材５５，５５をナット５６で締めることにより竿Ａを挟持部５４内にしっかりと挟持し、左右のボルト部材５５，５５をナット５６で緩めることにより竿Ａを挟持部５４内から外すことができる。
【００３１】
なお、符号２８は竿Ａに付けた紐等を通しておくための掛止孔を示しており、竿Ａが船外へ放り出されるのを防ぐことができる。また、符号２９はゴム部材を示しており、クランプ部１０を船縁１に確実に固着させるのに寄与する。
【００３２】
以上のように構成された保持装置Ｓの使用方法について、以下に説明する。
【００３３】
まず、船縁１に対しクランプ部１０を取り付ける。船縁１の上面２にクランプ本体１１の水平板部１３を載せ、垂直板部１４を船縁１の内側に、補助部材１２を船縁１の外側に位置させる。ナット２２を締めながら２本の長さ調節ボルト２０により船縁１の断面幅に合わせてクランプ本体１１の垂直板部１３と補助部材１２との間の長さを調節する。このとき、図２に示すように船縁１の外側面４は内側面３に対し下に行くに従って互いに接近するように傾斜する形状となっているが、回動軸１９Ａ回りに補助部材１２を回動させて、船縁１の外側面５の傾斜角度に合わせて補助部材１２のクランプ片２７を船縁１の外側面５にぴったりと当接させることができる。
【００３４】
クランプ片２７を船縁１の外側面５に当接させた状態で、反力支持部材２４の２本の角度調整ボルト２６を回しながら前進させて、図６に示すように、その先端を連結部材１９の背面に当接させることにより、補助部材１２の戻りを阻止してその回動後の姿勢をロックし、クランプ本体１１と補助部材１２によるクランプ状態を固定することができる。これにより、図２に示すように、クランプ部１０を船縁１に確実に固着させることができる。
【００３５】
次に、船縁１に固着したクランプ部１０に対し旋回台３０を取り付ける。クランプ本体１１の水平板部１３上面の旋回軸１７に対し旋回台３０の下面の係合孔３１を合わせて旋回台３０を環着支持させる。船縁１の長手方向に対し竿Ａを直角に向けるには旋回台３０を船縁１の長手方向に対し直角の姿勢にし、同姿勢で操作部３３を回しながらロック部材３４を前進させその先端面３４Ａを旋回軸１７の係合面１８Ｂに係合させる。図５に示すようにロック部材３４の先端面３４Ａと旋回軸１７の係合面１８Ｂはしっかりと面接触しているので、旋回台３０の旋回動作がロックされる。これにより、船縁１に対する保持装置Ｓの装着が完了する。
【００３６】
竿Ａのグリップ部５には予めホルダー５０が装着されており、船が沖合いに出て、竿Ａのリールから繰り出した糸を海中に投げ入れた後に、ホルダー５０を旋回台３０の上面の支持軸３７に対し装着する。この場合、着脱レバー５２を引き上げた状態でホルダー本体５１を支持軸３７に装着するようにし、着脱レバー５２を戻すと支持軸３７の係合部３７Ａに着脱レバー５２が係合し、ホルダー本体５１が抜け止めされる。後は、前方の竿受け部４０に対し竿Ａを受けさせればよい。
【００３７】
しばらくして、船縁１に保持させた竿Ａの向きを左右いずれかに変えたい場合には、次のようにして行う。図７（Ａ）に示すように、旋回台３０の横の操作部３３を回してロック部材３４を後退させ、旋回台３０のロックを解除する。旋回台３０を船縁１上のクランプ部１０に対し右又は左のいずれかに向きを変え、所定の旋回角度（図示例の場合右４５度）の時点で停止し、操作部３３を回してロック部材３４をその先端面３４Ａが係合面１８Ａに面接触して止まるまで前進させ、これにより旋回台３０をロックする。
【００３８】
竿Ａをホルダー５０および竿受け部４０に保持させた姿勢のままで、竿Ａの向きを所望の向きに素早く変えて、次の操作に備えることができ、操作性が向上する。従来装置は操作性の点で面倒さがあったが、本保持装置Ｓでは、竿Ａをホルダー５０および竿受け部４０から一旦外したり、向きを変えて固定し直し再び竿Ａをセットする面倒な作業から開放されるようになった。これにより、船釣りを大いに楽しむことができるようになった。
【００３９】
本装置Ｓでは、クランプ部１０に対し旋回台３０を左４５度、右４５度に固定したが、これに限らない。旋回軸１７の係合面１８Ａ・・・の隣接面の挟角を拡げて係合面の数を増やすことで旋回角度をより細かく固定できる。
【００４０】
本装置Ｓによると、クランプ本体１１と補助部材１２の間の長さを調節する２本の長さ調節ボルト２０と、補助部材１２のクランプ角度を調整する２本の角度調整ボルト２６により、船縁１の形状の違い（上下面の有無）、断面幅寸法の違い、外側面５の傾斜角度の違いに関わらず、本装置Ｓをそれらの船縁１に対ししっかりと取付固定することができる。
【００４１】
図８および図９は本考案の第２実施形態を示すもので、同図において、図１に示す保持装置Ｓと同一部材には同一符号を付してその説明を省略する。
【００４２】
本実施形態では、船縁１に固着されたクランプ部１０に対し、船釣り用具として撒き餌用のバケツを船外に保持するハンガー６０を装着可能としたものである。ハンガー６０は、バケツを内側に保持する略Ｕ字形のハンガー部６１と、このハンガー部６１を水平姿勢に支持するブラケット６２から構成されている。ハンガー部６１は棒状部材６３を略Ｕ字形に曲げてなり、略Ｕ字形に曲げられた棒状部材６３の一端６３Ａがブラケット６２の先端に取付固定され、他端６３Ｂがブラケット６２の中間位置に取付固定されている。
【００４３】
ブラケット６２の中間位置には複数（図示例では６つ）の取付孔６４が設けられており、取付孔６４のいずれか一に棒状部材６３の他端６３Ｂを挿通し、その反対側からナット６５で螺合することで、ブラケット６２の先端部にハンガー部６１を取り付け、かつハンガー部６１の内幅をバケツの外径の大小に合わせて適宜調整することができる。
【００４４】
上記ハンガー６０は、取付ネジ６５によってブラケット６２をクランプ本体１１の左右両側板部１５，１５のいずれか一方に水平姿勢に取り付けることができる。ブラケット６２には取付ネジ６５を挿通させる取付孔６６が、クランプ本体１１の左右両側板部１５，１５には取付ネジ６５が螺合されるネジ孔６７が、それぞれ複数（図示例では２つ）設けられている。上記ハンガー６０は、クランプ部材１１の左右両側のどちらに対しても取り付けることができる。
【００４５】
本実施形態によれば、クランプ部１０に対しハンガー６０は、撒き餌用のバケツを竿Ａのグリップ部５の近くで船外に保持させることができるから、手元で海に撒き餌を行う際に非常に便利であり、また、船の内側を汚さずに済む。
【００４６】
かくして、本考案によれば、従来装置に比べて使い勝手が大変優れた釣竿の保持装置を得ることができる。また、従来装置ではなし得なかった船縁の形状や角度に合わせて確実に船縁に固定することのできる釣竿の保持装置を得ることができる。
【産業上の利用可能性】
【００４７】
本考案に係る釣竿の保持装置は、船縁に固定して使用される船釣り用の竿保持装置として利用可能である。
【符号の説明】
【００４８】
１  船縁
２  船縁の上面
３  船縁の内側面
４  船縁の外側面
５  竿のグリップ部
１０  クランプ部
１１  クランプ本体
１２  補助部材
１２Ａ  補助部材の基端部
１３  水平板部
１４  垂直板部
１５  側板部
１６，２５，２８，３２，６７  ネジ孔
１６Ａ，６５  取付ネジ
１７  旋回軸
１７Ａ  大径部
１７Ｂ  小径部
１８  係合部
１８Ａ，１８Ｂ，１８Ｃ  係合面
１９  連結部材
１９Ａ，４１Ａ  回動軸
２０  長さ調節ボルト
２１，４４  ボルト孔
２２，５６  ナット
２３  ネジ
２４  反力支持部材
２６，４５  角度調整ボルト
２７  クランプ片
２８  掛止孔、
２９  ゴム部材
３０  旋回台
３１  係合孔
３３  操作部
３４  固定部材
３４Ａ  固定部材の先端面
３５  凸部
３６  反力支持面
３７  支持軸
３７Ａ  係合部
４０  竿受け部
４１  軸受部
４２  フォーク
４３  竿受け
５０  ホルダー
５１  ホルダー本体
５２  着脱レバー
５３  上側挟持部材
５４  挟持部
５５  ボルト部材
６０  ハンガー
６１  ハンガー部
６２  ブラケット
６３  棒状部材
６３Ａ  棒状部材の一端
６３Ｂ  棒状部材の他端
６４，６６  取付孔
Ａ  竿
Ｓ  釣竿の保持装置
【図１】
0003152623.tif 000003
【図２】
0003152623.tif 000004
【図３】
0003152623.tif 000005
【図４】
0003152623.tif 000006
【図５】
0003152623.tif 000007
【図６】
0003152623.tif 000008
【図７】
0003152623.tif 000009
【図８】
0003152623.tif 000010
【図９】
0003152623.tif 000011